(57)【特許請求の範囲】
【請求項１】
床面上に天井面、左右側壁、奥壁が設けられ、前面に開口部が設けられ、開口部には開閉扉が設けられ、左右側壁間にハンガー吊り下げ杆が架設された衣類等の収納室であって、開閉扉の上端と天井面前縁との間に若干の間隙が設けられ、間隙は毛状体により覆われ、開閉扉の下端と床面との間に若干の間隙が設けられ、開閉扉を閉じた状態で開閉扉の上端と天井面前縁との間の間隙、開閉扉の下端と床面との間の間隙及び収納室内を通る通気通路が形成されていることを特徴とする衣類等の収納室。
【請求項２】
床面上に天井面、左右側壁、奥壁が設けられ、前面に開口部が設けられ、開口部には開閉扉が設けられ、左右側壁間にハンガー吊り下げ杆が架設された衣類等の収納室であって、底部にすのこ状底部が設けられて、収納室の内部がすのこ状底部を通して通気又は換気が可能になされ、すのこ状底部の下方にほこり捕集空間が形成され、開閉扉の下端及びすのこ状底部と床面との間に掃除機のノズルが挿入できる若干の間隙が設けられ、開閉扉が閉じられた状態でほこり捕集空間を掃除機で掃除できるようになっていることを特徴とする衣類等の収納室。
【発明の詳細な説明】
【０００１】
【発明の属する技術分野】
本発明は、衣類等の収納室に関するものである。
【０００２】
【従来の技術】
従来、例えば、洋服箪笥等の衣類収納室においては、内部が密封されるため、内部の湿度が高くなり、ダニや黴が繁殖し易くなる。扉の開閉が不完全であると部屋のほこりが内部に進入し衣類に付着し堆積する。
或いは、ダニの死骸等のアレルゲン粒子が蓄積されるなど、アレルギーの源としての問題が大きくなっている。
又、収納部の下方の床に溜まったほこりを掃除するのは、衣類が邪魔となり、面倒である。
【０００３】
そこで、内部に湿気が溜まり難く、且つほこりが進入して堆積し難く、内部の掃除が容易な衣類等の収納室が望まれている。例えば、実開昭６１−３０４９９号公報に記載されているように、衣類等の収納室の下方にファンを設け、収納室の側方に送風ダクトを設け、衣類等の収納室に換気するようにした衣類等の収納室が知られている。
【０００４】
【発明が解決しようとする課題】
しかしながら、実開昭６１−３０４９９号公報に記載されている衣類等の収納室においては、ファンにより急速乾燥する場合には、好適なものであっても、日常の連続的な湿度除去には適してはいないものであり、収納室内のほこり除去までは配慮されていないものであった。
【０００５】
本発明は、叙上のような従来の衣類等の収納室における問題点に鑑みてなされたものであり、その目的とするところは、上記の問題を解決し、日常の連続的な湿度除去に適し、収納室内のほこりの除去までも配慮した衣類等の収納室を提供することにある。
【０００６】
【課題を解決するための手段】
上記の目的を達成するために、請求項１記載の本発明に係る衣類等の収納室は、
床面上に天井面、左右側壁、奥壁が設けられ、前面に開口部が設けられ、開口部には開閉扉が設けられ、左右側壁間にハンガー吊り下げ杆が架設された衣類等の収納室であって、開閉扉の上端と天井面前縁との間に若干の間隙が設けられ、間隙は毛状体により覆われ、開閉扉の下端と床面との間に若干の間隙が設けられ、開閉扉を閉じた状態で開閉扉の上端と天井面前縁との間の間隙、開閉扉の下端と床面との間の間隙及び収納室内を通る通気通路が形成されていることを特徴とするものである。
【０００７】
又、請求項２記載の本発明に係る衣類等の収納室は、
床面上に天井面、左右側壁、奥壁が設けられ、前面に開口部が設けられ、開口部には開閉扉が設けられ、左右側壁間にハンガー吊り下げ杆が架設された衣類等の収納室であって、底部にすのこ状底部が設けられて、収納室の内部がすのこ状底部を通して通気又は換気が可能になされ、すのこ状底部の下方にほこり捕集空間が形成され、開閉扉の下端及びすのこ状底部と床面との間に掃除機のノズルが挿入できる若干の間隙が設けられ、開閉扉が閉じられた状態でほこり捕集空間を掃除機で掃除できるようになっていることを特徴とするものである。
【０００８】
請求項１記載の本発明において、毛状体としては、空気を通すがほこりを遮断できるものであって、特に限定されないが、例えば、モヘヤ等の天然の毛状体の他に合成繊維や合成樹脂からなる毛状体を使用してもよい。
【０００９】
請求項１記載の本発明において、開閉扉の上端と天井面前縁との間に設ける若干の間隙の大きさとしては、１０〜２０ｍｍ程度が好ましく、１０ｍｍ未満の場合には通気が充分となり難く、２０ｍｍを越えると毛状体による遮蔽が困難となる恐れが生じる。
【００１０】
請求項１記載の本発明において、開閉扉の下端と床面との間に設ける若干の間隙の大きさとしては、７０〜１５０ｍｍ程度が好ましく、７０ｍｍ未満の場合には掃除機のノズルが挿入し難く、１５０ｍｍを越えると収納室の収容能力が減少し、使い辛くなる恐れが生じる。
【００１１】
〔作用〕
請求項１記載の本発明に係る衣類等の収納室においては、開閉扉の上端と天井面前縁との間に若干の間隙が設けられ、開閉扉の上端と天井面前縁との間の若干の間隙により通気が可能であり、通気により内部に湿気が溜まる恐れはなく、ダニや黴が繁殖する恐れはない。又、間隙は毛状体により覆われているので、間隙からほこりが進入する恐れはない。
【００１２】
又、開閉扉の下端と床面との間に若干の間隙が設けられているので、この間隙に掃除機のノズルを挿入することにより掃除をすることができる。
【００１３】
又、請求項２記載の本発明に係る衣類等の収納室においては、開閉扉が閉じられた状態でほこり捕集空間を掃除機で掃除できるようになっているので、ほこりの除去が容易である。
【００１４】
【発明の実施の形態】
次に、本発明の実施の形態を図面を参照しながら説明する。
図１は本発明に係る衣類等の収納室の一例を示す斜視図、図２は図１に示す衣類等の収納室の使用態様を示す断面図である。
【００１５】
図１、２において、１は床面、２は床面１の上方に設けられた収納室、２１は収納室２の天井面、２２は収納室２の左右の側壁、２３は収納室２の奥壁、２４は収納室２の前方に設けられた開閉扉であり、開閉扉２４の上端と天井面２１の前縁との間に１５ｍｍ程度の間隙Ｓ１が設けられている。
【００１６】
図３、４に示すように、天井面２１の前縁付近に回転部材２１１が軸２１２により左右の側壁２２、２２間に回転可能に架設されている。回転部材２１１の前脚部にはモヘアからなる毛状体２１３が植設されている。開閉扉２４が閉じられているときは、図３に示すように、開閉扉２４の上端部が回転部材２１１の突起２１４を押し、回転部材２１１の前脚を下げて毛状体２１３が開閉扉２４の上端と天井面２１の前縁との間の間隙Ｓ１を閉鎖するようになっている。
【００１７】
図４に示すように、開閉扉２４が開かれると、開閉扉２４の上端部が回転部材２１１の突起２１４から離れ、回転部材２１１は矢印で示すように回動するようになっている。
【００１８】
開閉扉２４の下端と床面との間には１００ｍｍ程度の間隙Ｓ２が設けられている。２５は収納室２の底部に設けられたすのこ状底部であり、すのこ状底部２５は１辺の長さが４０ｍｍ程度の角棒２５１を角部が上下左右の方向に向くように３０ｍｍ間隔で並設されて構成されている。すのこ状底部２５と床面１との間に１００ｍｍ程度の間隙が設けられ、すのこ状底部２５と床面１との間にほこり捕集用空間が設けられている。
【００１９】
２６はハンガー吊り棒、２７はハンガー吊り棒２６に掛けられたハンガー、２８はハンガー２７に掛けられた衣類、２９と収納室２内に設けられた幅５０ｍｍ程度の仕切り板であり、仕切り板２９の両端は左右の側壁２２に取付けられている。仕切り板２９、２９、２９と奥壁２３との間に３０ｍｍ程度の間隙Ｓ３が設けられている。最上方の仕切り板２９の高さは天井面に達すると通気経路が遮断されるので、ハンガー２７に掛けられた衣類２８の最上部程度とする。最上方の仕切り板２９の下端部が衣類２８の肩部よりも下方に来るようであれば、通気のために仕切り板２９に通気孔を穿設することが好ましい。
【００２０】
図１、２に示す本発明の衣類等の収納室においては、開閉扉２４の上端と天井面２１の前縁との間に若干の間隙Ｓ１が設けられ、この間隙Ｓ１により通気が可能であり、通気により内部に湿気が溜まる恐れはなく、ダニや黴が繁殖する恐れはない。又、間隙Ｓ１は毛状体２１３により覆われているので、間隙Ｓ１からほこりが進入し、衣類２８を汚損する恐れはない。
【００２１】
又、開閉扉２４の下端と床面１との間に若干の間隙Ｓ２が設けられているので、この間隙Ｓ２に掃除機のノズルを挿入することにより、ほこり捕集用空間の掃除をすることができる。
【００２２】
又、収納室２内には仕切り板２９、２９、２９が設けられ、仕切り板２９と奥壁２３との間に間隙Ｓ３が設けられているので、間隙Ｓ３にも空気が流通し、結局、開閉扉２４が閉じられた状態においても、間隙Ｓ１から収納室２内を流通し、間隙Ｓ１を通ったりして下方の間隙Ｓ２に到る通気が生じ、換気が充分となり、ダニや黴等が発生する恐れは皆無となる。
【００２３】
又、すのこ状底部２５の角棒２５１の角部が上下左右の方向に向くように設けられ、上面が斜面とされているので、収納室２内のほこりが斜面を滑って下方に落下する。
【００２４】
図５は本発明の衣類等の収納室の他の一例を示す斜視図である。
図５に示す衣類等の収納室２ａにおいては、内部が３００〜５００ｍｍ間隔で設けられた仕切り壁２９ａにより仕切られて複数個の区室２０、２０・・が設けられ、各区室２０、２０・・毎にハンガー吊り棒２６にハンガー２７が掛けられ、各ハンガー２７に衣類２８が掛けられている。
【００２５】
収納室２ａの側方には脱臭及び集塵フィルター付き送風ファン３が設けられ、送風ファン３からの風は壁面内蔵のダクト３１を経由して給気パイプ３２に到り、給気パイプ３２の給気口３２１から各区室２０、２０・・内に給気されるようになっている。
【００２６】
すのこ状底部２５ａはステンレス鋼管が梯子状に組み立てられて構成され、収納室２ａ内のほこり等はステンレス鋼管の間から下方に落下されるようになっており、取り外し可能となっている。すのこ状底部２５ａの下方にはほこり捕集空間が形成されている。開閉扉２４ａは折戸型のものであり、開閉扉２４ａの下端と床面１との間には掃除機のノズルが挿入できる間隙が設けられ、ほこり捕集空間を掃除機で掃除できるようになっている。
【００２７】
図５に示す本発明の衣類等の収納室においては、仕切り壁２９ａにより仕切られているので、衣類２８の周囲に適度な隙間が生じ、送風ファン３の作動により各区室２０、２０・・内が上方から下方に強制的に換気され、ダニや黴等が発生する恐れは皆無となる。換気される空気は脱臭及び集塵フィルターにより脱臭及び集塵される。尚、送風ファン３はタイマーコントロールにより１日１５分間程度運転される。
【００２８】
図６は本発明の衣類等の収納室の更に異なる他の一例を示す斜視図である。
図６に示す衣類等の収納室２ｂにおいては、内部が仕切り壁２９ｂにより仕切られて２個の区室２０が形成されている。一方の区室２０内にはすのこ状棚板２０１及びすのこ状底部２５が設けられ、他方の区室２０にはハンガー吊り棒２６が設けられ、ハンガー吊り棒２６にはハンガー２７が掛けられている。
【００２９】
折戸型の開閉扉２４ｂの下方及び簀子状底部２５の下方には、ほこり捕集用空間が形成され、掃除機のノズルが挿入できる間隙が設けられている。折戸型の開閉扉２４ｂの下方には引き戸２４１が設けられている。
【００３０】
奥壁２３の下方には通風ガラリ２３１が設けられ、通風ガラリ２３１は前方に設けられたハンドル２３２を回転することにより開閉できるようになっている。
【００３１】
収納室２ｂの内部の上方前方には脱臭及び集塵フィルター付き送風ファン３が設けられ、送風ファン３からの風は給気パイプ３２の給気口３２１から各区室２０、２０内に給気されるようになっている。
【００３２】
図６に示す衣類等の収納室２ｂにおいては、叙上の構造を備えているので、ハンドル２３２を回転することにより通風ガラリ２３１を開け、図７に示すように、送風ファン３を作動することにより矢印で示すように、換気することができる。
【００３３】
屋内と屋外との間に気圧差があるときや引き戸２４１側から通風ガラリ２３１側に流れる風が生じているとき等は、送風ファン３を作動しなくても、図８に示すように、ハンドル２３２を回転することにより通風ガラリ２３１を開けると共に、引き戸２４１を開けると矢印で示すようにすのこ状底部２５の下方に通風が起こり、収納室２ｂが換気される。
【００３４】
又、折戸型の開閉扉２４ｂの下方及びすのこ状底部２５の下方には間隙が設けられているので、図８に示すように、掃除機４のノズル４１を間隙に挿入して床面１を掃除することができる。床面１の表面を黒色もしくは灰色に着色することにより床面１に積もる綿ほこりが目立つようにすることもできる。
【００３５】
以上、本発明の実施の形態を図により説明したが、本発明の具体的構成は図示の実施の形態に限定されるものではなく、本発明の主旨を逸脱しない範囲の設計変更は本発明に含まれる。
【００３６】
例えば、フィルター付き送風ファンは、フィルターを交換可能とすればよく、フィルターは綿ほこりを除去できる網状のものや収納物の臭気を除去する脱臭フィルターを使用とか、状況に応じて複数セットを使用するようにしてもよい。
【００３７】
又、衣類等の収納室は建物に作り付けで設けられていてもよく、別途家具の形態で設けられていてもよい。家具の形態であるときは、図５に示す実施の形態においては、フィルター付き送風ファンは家具の内部に設けられる。
【００３８】
【発明の効果】
請求項１記載の本発明に係る衣類等の収納室においては、開閉扉の上端と天井面前縁との間に若干の間隙が設けられ、開閉扉の上端と天井面前縁との間の若干の間隙により通気が可能であり、通気により内部に湿気が溜まる恐れはなく、ダニや黴が繁殖する恐れはない。又、間隙は毛状体により覆われているので、間隙からほこりが進入する恐れはない。
【００３９】
又、開閉扉の下端と床面との間に若干の間隙が設けられているので、この間隙をほこり捕集空間とし、捕集空間に掃除機のノズルを挿入することにより掃除をすることができる。
【００４０】
又、請求項２記載の本発明に係る衣類等の収納室においては、開閉扉が閉じられた状態でほこり捕集空間を掃除機で掃除できるようになっているので、ほこりの除去が容易である。
【図面の簡単な説明】
【図１】  本発明に係る衣類等の収納室の一例を示す斜視図。
【図２】  図１に示す衣類等の収納室の使用態様を示す断面図。
【図３】  開閉扉の上端部付近に設けられる回転部材の説明図。
【図４】  開閉扉の上端部付近に設けられる回転部材の説明図。
【図５】  本発明に係る衣類等の収納室の他の一例を示す斜視図。
【図６】  本発明に係る衣類等の収納室の更に異なる他の一例を示す斜視図。
【図７】  図６に示す衣類等の収納室の使用態様を示す説明図。
【図８】  図６に示す衣類等の収納室の使用態様を示す説明図。
【符号の説明】
１        床面
２、２ａ、２ｂ  収納室
１０      区室
２１      天井面
２２      側壁
２３      奥壁
２４、２４ａ、２４ｂ  開閉扉
２５      すのこ状底部
２６      ハンガー吊り棒
２７      ハンガー
２８      衣類
２９、２９ａ、２９ｂ  仕切り板
３        送風ファン
３１      ダクト
３２      給気パイプ
３２１    給気口
【図１】
0004268265.tif 000002
【図２】
0004268265.tif 000003
【図３】
0004268265.tif 000004
【図４】
0004268265.tif 000005
【図５】
0004268265.tif 000006
【図６】
0004268265.tif 000007
【図７】
0004268265.tif 000008
【図８】
0004268265.tif 000009